(57)【要約】【課題】部品点数の削減とカシメの容易なギア式連動蝶番を提供すること。【解決手段】第１歯車１１を備えた第１のブラケット１２と、前記第１歯車１１の軸心１１ａを中心に回動可能に配設された歯車ケース１３と、前記歯車ケース１３に回転自在に支持されると共に、前記第１歯車１１と噛み合う中間歯車１４と、前記歯車ケース１３に回転自在に支持されると共に前記中間歯車１４と噛み合う第２歯車１５を備えた第２のブラケット１６から構成されたので、部品点数の削減を図りコンパクトにすることができる。また、ピンのカシメも容易である。【選択図】　図１
2004036286.tif 000002
【特許請求の範囲】
【請求項１】
第１歯車を備えた第１のブラケットと、
前記第１歯車の軸心を中心に回動可能に配設された歯車ケースと、
前記歯車ケースに回転自在に支持されると共に、前記第１歯車と噛み合う中間歯車と、
前記歯車ケースに回転自在に支持されると共に前記中間歯車と噛み合う第２歯車を備えた第２のブラケットから構成されたことを特徴とするギア式連動蝶番。
【請求項２】
前記第１歯車と中間歯車と第２歯車のギア比が、２：１：１であることを特徴とする請求項１に記載のギア式連動蝶番。
【請求項３】
前記第１歯車は、円弧状の欠歯歯車であることを特徴とする請求項１または２に記載のギア式連動蝶番。
【請求項４】
前記第２歯車は、円弧状の欠歯歯車であることを特徴とする請求項１〜３の何れか１に記載のギア式連動蝶番。
【請求項５】
前記第１のブラケットと第２のブラケットは、直交配置から平行配置の間で連続的に変化可能であることを特徴とする請求項１〜４の何れか１に記載のギア式連動蝶番。
【発明の詳細な説明】
【０００１】
【発明の属する技術分野】
本発明は、ドア、扉、遊技機械の窓扉等の開閉に使用されるギア式連動蝶番に関するものである。
【０００２】
【従来の技術】
図１２は、従来の連動蝶番の一例であり、閉成状態を示す平面図、図１３は従来の連動蝶番の開成状態を示す平面図である。従来の連動蝶番は、リンク１〜６の６個の部品をそれぞれａで示す箇所でピン７を加締め加工して回動可能に構成していた。以上のように構成された、連動蝶番は本体側にリンク１を固定し、扉、ドア側にリンク６を固定して使用されている。
【０００３】
【発明が解決しようとする課題】
しかし、従来の連動蝶番では、リンク機構により７本のピンをカシメて組立ていたために、そのカシメ具合が微妙に開閉動作に影響しており、７本全てのピンの加締め具合を調整するのは煩雑であった。また、ピンの長さも２種類存在したため、部品点数も多いものであった。
本発明は、前記実情に鑑み提案されたもので、部品点数の削減と、調整の容易なギア式連動蝶番を提供することを目的とする。
【０００４】
【課題を解決するための手段】
前記目的を達成するために、請求項１に記載の発明は、第１歯車を備えた第１のブラケットと、前記第１歯車の軸心を中心に回動可能に配設された歯車ケースと、前記歯車ケースに回転自在に支持されると共に、前記第１歯車と噛み合う中間歯車と、前記歯車ケースに回転自在に支持されると共に前記中間歯車と噛み合う第２歯車を備えた第２のブラケットから構成されたことを特徴とするものである。
【０００５】
また、請求項２に記載の発明は、前記第１歯車と中間歯車と第２歯車のギア比が、２：１：１であることを特徴とするものである。
【０００６】
また、請求項３に記載の発明において、前記第１歯車は、円弧状の欠歯歯車であることを特徴とするものである。
【０００７】
また、請求項４に記載の発明において、前記第２歯車は、円弧状の欠歯歯車であることを特徴するものである。
【０００８】
また、請求項５に記載の発明において、前記第１のブラケットと第２のブラケットは、直交配置から平行配置の間で連続的に変化可能であることを特徴とするものである。
【０００９】
【発明の実施の形態】
以下、一実施の形態を示す図面に基づいて本発明を詳細に説明する。図１は、本発明に係るギア式連動蝶番の閉成状態を示す一部を切欠いた平面図、図２は本体のギア式連動蝶番の開成状態を示す一部を切欠いた平面図である。ここで、ギア式連動蝶番１０は、第１歯車１１を備えた第１のブラケット１２と、この第１歯車１１の軸心１１ａを中心に回動可能に配設された歯車ケース１３と、この歯車ケース１３に回転自在に支持されると共に、前記第１歯車１１と噛み合う中間歯車１４と、前記歯車ケース１３に回転自在に支持されると共に前記中間歯車１４と噛み合う第２歯車１５を備えた第２のブラケット１６から構成されている。
【００１０】
図３は、本発明のギア式連動蝶番に使用される第１のブラケットを示す平面図、図４は、本発明のギア式連動蝶番に使用される第１のブラケットを示す側面図である。ここで、第１のブラケット１２は、本体等に固定する為のビス孔１７を有する取付け基板１８と、先端部に第１歯車１１が形成されている。取付け基板１８、１８及び第１歯車１１、１１は、所定の間隔を有してそれぞれ一対配設されている。第１歯車１１の軸心１１ａには、ピン孔１９が穿設されている。また、第１歯車１１は、円弧状の欠歯歯車であり約９０度の範囲に形成されている。
【００１１】
図５は、本発明のギア式連動蝶番に使用される歯車ケースを示す側面図、図６は、本発明のギア式連動蝶番に使用される歯車ケースを示す平面図である。歯車ケース１３は、３個のピン孔１９ａ、２０、２１を有するケース板２２ａ，２２ｂが所定の間隔を有して連結板２３によって一体的に形成されている。また、ピン孔１９ａ、２０、２１は、曲線的に配置されている。歯車ケース１３のピン孔１９ａは、第１のブラケット１２の軸心１１ａにピンで回動可能に軸支されると共に、ピン孔２０には、中間歯車１４が回動可能にピンで支持される。更に、ピン孔２１には、第２のブラケット１６の第２歯車１５が回動可能に軸支されると共に中間歯車１４と歯合している。また、第１歯車１１と中間歯車１４と第２歯車１５の歯数比は、２：１：１の割合に設定されている。したがって、歯車ケース１３が軸心１１ａの周りを旋回する時、中間歯車１４はその倍の角度回転する。
【００１２】
図７は、本発明のギア式連動蝶番に使用される第２のブラケットを示す平面図、図８は、本発明のギア式連動蝶番に使用される第２のブラケットを示す側面図である。第２のブラケット１６は、一対の第２歯車１５と、ドア、遊技機械の窓扉等に固定する為のビス孔２４を有する取付け板２５を有している。また、第２歯車１５の中心には、ピンを挿入するための軸孔２６が穿設されている。第２歯車１５も円弧状の欠歯歯車であり、円周の一部に歯が形成されている。
【００１３】
次に、以上のように構成された本発明に係るギア式連動蝶番１０の使用態様について説明する。先ず、図９、１０に示すように本発明のギア式連動蝶番１０の第１のブラケット１２を本体２７にビス等で固定する。また、第２のブラケット１６をビス等で開閉させる外枠２８に固定する。図９に示すように閉成状態では、本体２７と外枠２８は密着している。この状態から、外枠２８を時計方向に開いて行くと第２のブラケット１６は、歯車ケース１３のピン孔２１を中心に図中時計回りに回転する。同時に、第２のブラケット１６が回転すると、第２歯車１５もピン孔２１を中心に回転し中間歯車１４を回転させる。中間歯車１４が回転すると、中間歯車１４は固定歯車である第１歯車１１と歯合しており、歯車ケース１３自体がピン孔１９ａを中心に旋回する。歯車ケース１３自体が旋回すると、外枠２８は、第２のブラケット１６を介して歯車ケース１３に回転自在に支持されているために、本体２７から離間する。したがって、本体２７と外枠２８は、閉じた状態で互いに密着していても、開く際に干渉することがない。
【００１４】
図１１は、本発明のギア式連動蝶番の開閉状態を示す平面図であり、符号ａで示す完全に閉じた状態から、符号ｆで示す完全に開いた状態までの各部材の軌跡を示している。中間歯車１４は、軸心１１ａを中心に軌跡Ｋ１上を移動し、第２歯車１５は、軸心１１ａを中心に軌跡Ｋ２上を移動する。また、外枠２８は、軌跡Ｋ２上を移動する第２歯車１５の軸心を中心として旋回する。図１０は、外枠２８が本体２７に対して約９０度、開いた状態を示す平面図である。この状態で、外枠２８は本体２７と幅Ｈだけ離間している。しかし、図９に示すように閉じた状態では、本体２７と外枠２８は、密着している。
【００１５】
このように本発明のギア式連動蝶番は、３個の歯車を使用したギア機構によりリンクして開閉するので、円滑に開閉動作を行うことができると共に、第１のブラケットと第２のブラケットは、直交配置から平行配置の間で連続的に変化することができる。
【００１６】
【発明の効果】
この発明は前記した構成からなるので、以下に説明するような効果を奏することができる。
【００１７】
請求項１に記載の発明では、第１歯車を備えた第１のブラケットと、前記第１歯車の軸心を中心に回動可能に配設された歯車ケースと、前記歯車ケースに回転自在に支持されると共に、前記第１歯車と噛み合う中間歯車と、前記歯車ケースに回転自在に支持されると共に前記中間歯車と噛み合う第２歯車を備えた第２のブラケットから構成したものである。
【００１８】
このような構成としたことによって、本発明のギア式連動蝶番は部品点数の削減を図ることができる。また、使用するピンの数も３本と少なくカシメも容易であり、組立て作業の効率化を実現することができる。更に、開閉動作を円滑に行うことができる。
【００１９】
また、請求項２に記載の発明において、前記第１歯車と中間歯車と第２歯車のギア比が、２：１：１であるので、第１のブラケットの歯車中心に歯車ケースが９０度回転すると、中間歯車は、１８０度回転する。また、中間歯車と歯合している第２歯車は、逆方向に１８０度回転することとなる。
【００２０】
また、請求項３に記載の発明において、前記第１歯車は、円弧状の欠歯歯車であるので、ドア、遊技機械の窓扉等に使用した場合に開閉動作の支障となることがない。
【００２１】
また、請求項４に記載の発明において、前記第２歯車は、円弧状の欠歯歯車であるので、ドア、遊技機械の窓扉等に使用した場合に開閉動作の支障となることがない。
【００２２】
また、請求項５に記載の発明において、前記第１のブラケットと第２のブラケットは、直交配置から平行配置の間で連続的に変化可能であるので、第１のブラケットを本体側に取付け、第２のブラケットを扉、外枠側に取付けた場合、密着した閉成状態から干渉することなく、大きく開成することができる。
【図面の簡単な説明】
【図１】図１は、本発明に係るギア式連動蝶番の閉成状態を示す一部を切欠いた平面図である。
【図２】図２は、同ギア式連動蝶番の開成状態を示す一部を切欠いた平面図である。
【図３】図３は、同ギア式連動蝶番に使用される第１のブラケットを示す平面図である。
【図４】図４は、同ギア式連動蝶番に使用される第１のブラケットを示す側面図である。
【図５】図５は、同ギア式連動蝶番に使用される歯車ケースを示す側面図である。
【図６】図６は、同ギア式連動蝶番に使用される歯車ケースを示す平面図である。
【図７】図７は、同ギア式連動蝶番に使用される第２のブラケットを示す平面図である。
【図８】図８は、同ギア式連動蝶番に使用される第２のブラケットを示す側面図である。
【図９】図９は、同ギア式連動蝶番を本体と外枠の連結に使用した場合を示す平面図である。
【図１０】図１０は、同ギア式連動蝶番の開成状態を示す平面図である。
【図１１】図１１は、同ギア式連動蝶番の開閉状態を示す平面図である。
【図１２】図１２は、従来の連動蝶番の一例であり、閉成状態を示す平面図である。
【図１３】図１３は、従来の連動蝶番の開成状態を示す平面図である。
【符号の説明】
１０　　　ギア式連動蝶番
１１　　　第１歯車
１１ａ　　軸心
１２　　　第１のブラケット
１３　　　歯車ケース
１４　　　中間歯車
１５　　　第２歯車
１６　　　第２のブラケット
１７　　　ビス孔
１８　　　取付け基板
１９、１９ａ　ピン孔
２０　　　ピン孔
２１　　　ピン孔
２２ａ、ｂ　ケース板
２３　　　連結板
２４　　　ビス孔
２５　　　取付け板
２６　　　軸孔
２７　　　本体
２８　　　外枠
【図１】
2004036286.tif 000003
【図２】
2004036286.tif 000004
【図３】
2004036286.tif 000005
【図４】
2004036286.tif 000006
【図５】
2004036286.tif 000007
【図６】
2004036286.tif 000008
【図７】
2004036286.tif 000009
【図８】
2004036286.tif 000010
【図９】
2004036286.tif 000011
【図１０】
2004036286.tif 000012
【図１１】
2004036286.tif 000013
【図１２】
2004036286.tif 000014
【図１３】
2004036286.tif 000015